(57)【要約】【課題】状態測定した結果に基づき、通知対象となる状態が生じた時に、最適な連絡先に自動的に連絡が行える装置を提供することを目的とする。【解決手段】測定対象の状態に関する情報である測定対象状態情報を受信する情報受信部１０１と、測定対象状態情報を記憶する状態記憶部１０２と、測定対象状態情報から測定対象が通知対象であるかを判定する状態判定部１０５と、測定対象が通知対象である場合に測定対象状態情報の連絡先を決定する連絡先判定部１０６と、測定対象状態情報を緊急状態連絡先１２０に送信する情報送信部１０７を備え、通知状態発生時に、最適な連絡先に自動的に通知を行なう。【選択図】　図２
2004129777.tif 000002
【特許請求の範囲】
【請求項１】
測定装置が測定した測定結果を受信する情報受信部と、前記情報受信部において受信した前記測定結果を状態情報として記憶する状態記憶部と、前記状態情報が通知対象であるかどうかを判定するための通知条件が保存されている通知条件参照データベースと、前記状態情報が通知対象であると判定された場合の連絡先の情報が保存されている連絡先データベースと、前記状態記憶部に記憶されている前記状態情報と前記通知条件参照データベースに保存されている前記通知条件とを比較して前記状態情報が通知対象であるかどうかを判定する状態判定部と、前記状態判定部が通知対象であると判定した場合に、前記連絡先データベースから最適な連絡先を選択する連絡先判定部と、前記状態判定部が通知対象であると判定した場合に、前記連絡先判定部が選択した連絡先に、前記状態情報を送信する情報送信部を備えることを特徴とする自動緊急連絡装置。
【請求項２】
前記連絡先データベースは、連絡先を決定する条件の優先順位に関する情報を含み、前記連絡先判定部は、優先順位に基づいて連絡先を決定することを特徴とする請求項１に記載の自動緊急連絡装置。
【請求項３】
前記優先順位は測定対象が設定することが可能なことを特徴とする請求項２に記載の自動緊急連絡装置。
【請求項４】
前記状態判定部は、前記状態情報が通知対象であると判定した際に、通知対象と判定した原因を特定することを特徴とする請求項１に記載の自動緊急連絡装置。
【請求項５】
前記状態情報の履歴を保存する履歴記録部を備えることを特徴とする請求項１に記載の自動緊急連絡装置。
【請求項６】
管理者情報受信部を更に備え、前記通知条件参照データベースは、前記管理者情報受信部を用いて通知条件を設定できることを特徴とする請求項１に記載の自動緊急連絡装置。
【請求項７】
前記連絡先データベースは、前記管理者情報受信部を用いて連絡先の情報を追加できることを特徴とする請求項１に記載の自動緊急連絡装置。
【発明の詳細な説明】
【０００１】
【発明の属する技術分野】
本発明は、測定結果の状態を管理し、通知対象となる状態が発生した際に自動的に緊急連絡をする装置に関するものである。
【０００２】
【従来の技術】
従来、健康状態に異常が発生した場合は、電話で病院や１１９番に連絡するのが一般的であった。しかし、異常状態にある本人が電話などを用いて連絡を取れないほどの状態である場合、連絡を代わりにしてくれる人が周辺にいないことが十分に予測される。そこで、自動的に測定対象の健康状態を監視でき、異常を発見すれば自動的に監視センターに通報を行う技術が開示されている（例えば、特許文献１参照）。
【０００３】
また、健康状態管理装置を測定対象の身体に装着させ、ＧＰＳを用いてセンタシステムに位置情報、および健康状態を通報するシステムが提案されている（例えば、特許文献２参照）。
【０００４】
【特許文献１】
特開平１０−１５５７４９号公報
【特許文献２】
特開平１１−１０４０８８号公報
【０００５】
【発明が解決しようとする課題】
しかしながら、前記従来の技術では、通報する緊急連絡先が、緊急センターなど前もって決められており、通報発生時の測定対象の位置や、通報原因となった状態に基づいて、連絡先を選択できるものではなかった。そのため、例えば、測定対象を人体とし、通知対象を健康の異常状態とした場合、異常状態発生時の連絡先があらかじめ決められた緊急センターであることにより、測定対象である異常状態となった人体の位置情報に基づいて、緊急センターから最寄りの病院などへ連絡する時間が必要となるという問題があった。
【０００６】
また、異常状態の原因が不明であることにより最適な処置を行うことができる病院にはじめに搬送されないことも発生する。また、測定対象が人体だけでなく、機器の故障などにおいても、最適なサービスセンターに通知されないという問題が生じる。
【０００７】
本発明は、上記の課題を解決するためなされたものであり、通知対象となる状態が生じた時に、最適な連絡先に自動的に連絡が行える装置を提供することを目的とする。
【０００８】
【課題を解決するための手段】
上記課題を解決するために、本発明の自動緊急連絡装置は、測定装置が測定した測定結果を受信する情報受信部と、前記情報受信部において受信した前記測定結果を状態情報として記憶する状態記憶部と、前記状態情報が通知対象であるかどうかを判定するための通知条件が保存されている通知条件参照データベースと、前記状態情報が通知対象であると判定された場合の連絡先の情報が保存されている連絡先データベースと、前記状態記憶部に記憶されている前記状態情報と前記通知条件参照データベースに保存されている前記通知条件とを比較して前記状態情報が通知対象であるかどうかを判定する状態判定部と、前記状態判定部が通知対象であると判定した場合に、前記連絡先データベースから最適な連絡先を選択する連絡先判定部と、前記状態判定部が通知対象であると判定した場合に、前記連絡先判定部が選択した連絡先に、前記状態情報を送信する情報送信部を備えることにより、最適な連絡先に自動的に連絡が行える。
【０００９】
また、本発明の自動緊急連絡装置における連絡先データベースは、連絡先を決定する条件の優先順位に関する情報を含むことにより、複数の連絡先が存在する場合に、前記連絡先判定部は優先順位に基づいて連絡先を決定できる。
【００１０】
また、本発明の自動緊急連絡装置における連絡先データベースの優先順位は、測定対象が設定することができることにより、測定対象にとって最適な連絡先が選択される。
【００１１】
また、本発明の自動緊急連絡装置は、状態判定部を用いて、測定対象の状態が通知対象であると判定した際に、通知対象と判定した原因を特定することにより、最適な処置を行うことができる連絡先が選択できるようになる。
【００１２】
また、本発明の自動緊急連絡装置は、履歴記録部を備えることにより、測定対象の状態に関する情報の履歴を保存することができ、過去に起きた状態情報の変化がわかるようになる。
【００１３】
また、本発明の自動緊急連絡装置は、管理者情報受信部を備え、通知条件参照データベースは、前記管理者情報受信部を用いて通知条件を設定できる。
【００１４】
また、本発明の自動緊急連絡装置の連絡先データベースは管理者情報受信部を用いて連絡先を追加できることにより、あらかじめ登録されていない連絡先にも、連絡が可能となる。
【００１５】
【発明の実施の形態】
以下、図を用いて本発明の実施の形態を詳しく説明する。
【００１６】
（実施の形態１）
図１は、本発明の実施の形態における無線ネットワークを利用するシステム構成の一例を示す。
【００１７】
このシステムは、自動緊急連絡装置１００と、状態測定装置１３０と、自動緊急連絡装置１００が無線接続する無線基地局１４０と、ネットワーク１５０を介して自動緊急連絡装置１００と通信することが可能な複数の連絡受信装置１２０、１２１、１２２とから構成されている。
【００１８】
自動緊急連絡装置１００は、外部機器との通信を行うことが可能な通信機器であり、携帯電話、ＰＤＡやＰＣなどの情報機器、デジタルカメラ、オーディオ機器、ＰＣ、または、連絡専用機器などである。自動緊急連絡装置１００と状態測定装置１３０は、ブルートゥースや無線ＬＡＮ、赤外線などの無線により通信を行う。また、有線通信を用いることも可能である。なお、自動緊急連絡装置１００は、連絡受信装置１２０、１２１、１２２と無線接続するとしたが、有線ネットワークのみを介して連絡受信装置１２０、１２１、１２２と通信を行ってもよい。この場合、無線基地局１４０は、システムに含まれない。
【００１９】
図２は、本発明の実施の形態における自動緊急連絡装置の構成の一例である。
【００２０】
図２に示すように、自動緊急連絡装置１００は、状態測定装置１３０で測定された測定結果である測定対象の状態に関する情報（以下、測定対象状態情報と称する）を受信する情報受信部１０１と、測定対象状態情報を記憶する状態記憶部１０２と、測定対象状態情報から測定対象が通知対象であるかを判定する状態判定部１０５と、測定対象が通知対象である場合に測定対象状態情報の連絡先を決定する連絡先判定部１０６と、測定対象状態情報を連絡受信装置１２０に送信する情報送信部１０７で構成される。さらに、通知条件を保存している通知条件参照データベース１０３を備えており、状態判定部１０５では通知条件参照データベース１０３に保存されている通知条件を用いて測定対象が通知対象であるかどうかの判定を行う。さらに、通知状態発生時の連絡先が保存されている連絡先データベース１０４を備えており、連絡先判定部１０６では連絡先データベース１０４に保存されている連絡先の中から最適な連絡受信装置１２０を判定する。履歴記録部１０９は情報受信部１０１が受信する測定対象状態情報を常に保存する。自動緊急連絡装置１００は既に状態記憶部１０２を備えているため、履歴記録部１０９を備えていることは必須ではない。
【００２１】
情報受信部１０１は、状態測定装置１３０から測定対象状態情報を受信し、状態記憶部１０２、及び履歴記録部１０９に格納し、状態判定部１０５に測定対象状態情報を受信したことを通知する。なお、測定対象状態情報を受信した際に毎回通知するのでなく、前もって設定された回数受信した時や、タイマーにより一定時間経過する毎に通知を行ってもよい。測定対象状態情報を受信したことの通知を得た状態判定部１０５は状態記憶部１０２の測定対象状態情報を受け取り、通知条件参照データベース１０３のデータと比較する。比較を終えた後、通知状態が発生した場合、状態判定部１０５は通知状態発生の通知と、通知原因を連絡先判定部１０６に送信する。通知状態発生の通知を得た連絡先判定部１０６は状態記憶部１０２の測定対象状態情報を受け取り、連絡先データベース１０３のデータと比較し、連絡先を判定する。連絡先判定部１０６が連絡先を判定した後、情報送信部１０７を用いて判定した連絡先に通知を行う。連絡先に通知を行う際に、履歴記録部１０９の情報を送信しても良い。
【００２２】
測定対象状態情報は、例えば、血圧、血糖値、脈拍値、体温、心拍数など健康状態に関する情報や、温度や湿度など環境状態に関する情報や、機械の充電状態、故障状態、処理状態などの、状態が動的に変化する情報である。以下、実施の形態の説明においては、一例として測定対象状態情報が健康状態であるものとして説明する。
【００２３】
図５は、状態記憶部１０２の構成の一例を示す図である。ここでは測定対象状態情報には測定対象の健康に関する情報が含まれているとする。状態記憶部５００には測定対象の健康に関する情報５０１のみでなく、健康以外の情報５０２も記憶される。
【００２４】
図６は、通知条件参照データベース１０３の構成の一例を示す図である。通知条件参照データベース６００では心拍数、血圧、体温の項目について、通知条件が設定されている。例えば、図６では心拍数が３０未満、あるいは８０より上で通知対象である。通知条件参照データベース６００の各項目について、上限値および、または下限値は測定対象あるいは測定対象のかかりつけの医者、などによってあらかじめ設定されていなければならない。
【００２５】
図７は、連絡先データベース１０４の構成の一例を示す図である。連絡先データベース７００は病院などの通知対象時の処置が可能な連絡先の情報を持つ。各連絡先の情報は、例えば、対応保険名、連絡先名、処置が可能な通知原因を示した対応可能項目、診療時間、連絡先の連絡手段等を含んでいる。連絡先データベース７００は上記の情報以外にも必要な情報を含んでも良い。また、位置情報などの各項目には、連絡先を絞り込むための優先順位がつけられている。連絡先データベース７００では、時間が優先順位１、原因が優先順位２などが設定されている。
【００２６】
次に、図３を用いて、本発明の実施の形態における自動緊急連絡装置の具体的な動きを説明する。ここでは、測定対象は人間であり、測定対象状態は身体の健康に関する情報であるとして、以下、説明する。例えば、測定対象は、状態測定装置１３０を身体の状態の測定が可能な位置に装着する。測定対象は、自動緊急連絡装置３０２を携帯しており、状態測定装置３０１から自動緊急連絡装置３０２に測定対象の測定対象状態情報が送信される。状態測定装置３０１と自動緊急連絡装置３０２は、ブルートゥースや無線ＬＡＮ、赤外線などの無線通信が可能である。自動緊急連絡装置３０２が、受信した状態情報に基づき、測定対象が通知対象であると判定した場合、連絡先データベース１０４を参照し、最適な緊急状態連絡先として判定された連絡受信装置１２０に電話回線やインターネット等の公衆網を用いて測定対象状態情報を送信する。これにより、健康状態が通知対象状態に変化した際に、即時に連絡受信装置１２０に緊急連絡が通知されることになる。
【００２７】
以上のような構成を有する本発明の実施の形態における自動緊急連絡装置の動作について、フローチャートに従って、以下に説明を行う。
【００２８】
図４は、測定対象に通知対象状態が発生した時に、自動緊急連絡装置１００を用いて連絡受信装置１２０に通知対象状態が連絡されるまでの処理を示すフローチャートである。
【００２９】
情報受信部１０１は、測定対象の測定対象状態情報を受信する（ステップＳ４０１）。なお、フローチャート開始時、自動緊急連絡装置１００は、測定対象状態情報の待ち受け状態になっており、待ち受け状態は一度測定対象状態情報を受信すると終了するのではなく、その後も常に測定対象状態情報待ち受け状態になる。
【００３０】
次に、状態記憶部１０１は、ステップＳ４０１で情報受信部１０１が受信した測定対象状態情報を記憶する（ステップＳ４０２）。もし、自動緊急連絡装置１００が履歴記録部１０９を備えている場合は、状態記憶部１０２が測定対象状態情報を記憶するタイミングと同時に、履歴記録部１０９にも測定対象状態情報が追加される。
【００３１】
次に、状態判定部１０５は、通知条件参照データベース１０３と、測定対象状態情報の比較を行い、測定対象が通知対象であるかどうかを判定する（ステップＳ４０３）。
【００３２】
次に、状態判定部１０５はステップＳ４０３で行った比較の結果をもとに、測定対象状態情報が通知対象外か通知対象かを判定する（ステップＳ４０４）。
【００３３】
測定対象状態情報に含まれる値が、通知条件参照データベース６００で設定されている範囲外であれば、通知対象と判定する。例えば、測定対象状態情報に含まれている心拍数が６０ならば通知対象外、９０ならば通知対象である。通知対象外であると判定された場合（ステップＳ４０４がＮＯ）、測定対象状態情報の待ちうけ状態となり、測定対象状態情報を受信すると再びステップＳ４０１から処理を行う。通知対象であると判定された場合（ステップＳ４０４がＹＥＳ）はステップＳ４０５に移行する。
【００３４】
次に、測定対象状態情報をもとに、心臓が悪い、肝臓が不調、など通知対象になった原因を特定する（ステップＳ４０５）。
【００３５】
次に、状態記憶部１０２に保存されている測定対象状態情報と、ステップＳ４０５で特定された通知原因をもとに、連絡先データベース１０４から緊急連絡先を判定する処理を行う（ステップＳ４０６）。
【００３６】
ここで、図７を用いて、ステップＳ４０６で行う連絡先を判定する方法の一例を示す。連絡先データベース７００の位置情報などの各項目には、連絡先を絞り込むための優先順位がつけられている。優先順位に従って連絡先の絞込みを行う。もし、自動緊急連絡装置が入力部を備えていた場合、測定対象者は優先順位を設定することが可能となる。
【００３７】
図７の場合は、「時間」の項目の優先順位が一番高いので、「時間」を最初に参照する。同一項目である状態記憶部７１０の時刻情報をもとに各連絡先が条件を満たしているかを判定する。土田病院、黒田病院、土井病院の診療時間は全て状態記憶部７１０内の現在時刻である１０：３６を満たしているが、山田病院の１３：００〜１７：００は条件を満たしていない。ここで、条件を満たさない山田病院は、選択対象外となる。次に土田病院、黒田病院、土井病院を次に優先順位の高い項目である「原因」で絞り込む。その後は「位置」、「保険」についても同様に絞込みを行う。ただし、「位置」の項目のように、条件を満たす／満たさないを判定するものではない場合、絞込みではなく、測定対象の位置から近い順に連絡先を並べかえる処理を行っても良い。
【００３８】
最後に、情報送信部１０７は、ステップＳ４０６で判定された連絡先に電話回線やインターネットなどの公衆網を介して測定対象状態情報を送信する（ステップＳ４０７）。
【００３９】
なお、自動緊急連絡装置１００が履歴記録部１０９を備えている場合、ステップＳ４０７で履歴情報を送信しても良い。
【００４０】
なお、通知条件参照データベース１０３および／または、連絡先データベース１０４は自動緊急連絡装置１００の記憶可能な容量そのものが小さい可能性があり、外部のサーバに設置しても良い。
【００４１】
なお、連絡先データベース１０４には測定対象による連絡先の追加が可能である。
【００４２】
なお、ステップＳ４０７において、連絡受信装置１２０に繋がらなかった場合は、送信をリトライしたり、２番目に最適な通報先に測定対象状態情報を送信するようにしてもよい。
【００４３】
なお、自動緊急連絡装置１００は携帯電話やＰＤＡ等の通信機器に内蔵されていても良い。
【００４４】
なお、自動緊急連絡装置１００は、状態測定装置１３０を含んでいても良い。
【００４５】
なお、自動緊急連絡装置１００に携帯電話やＰＤＡを内蔵した場合、測定対象状態情報は状態測定装置１３０から受信し、時間や位置情報は携帯電話やＰＤＡに内蔵している機能、例えば時計やＧＰＳを用いて受信しても良い。
【００４６】
なお、自動緊急連絡装置１００が時計機能やＧＰＳ機能を有していない場合、時間や位置情報の取得手段として、外部機器から情報受信部１０１を用いて取得する事が可能である。
【００４７】
なお、ステップＳ４０１において、受信した測定対象状態情報を状態記憶部１０２で全て保存しておき、測定対象および／または他の人が参照できるようにしておいてもよい。
【００４８】
なお、位置情報による最適な連絡先の絞込みは、通知対象かを判別する以前に、あらかじめ行っていても良い。
【００４９】
以上により、通知対象となる状態が生じた時に、最適な連絡先に自動的に連絡することが可能となる。
【００５０】
（実施の形態２）
本発明の実施の形態１における自動緊急連絡装置が備えている通知条件参照データベース１０３や、連絡先データベース１０４は、保存する情報量が多くなると、自動緊急連絡装置１００に保存しきれないという可能性があり、外部に配置することを可能とする。
【００５１】
通知条件参照データベース１０３と連絡先データベース１０４（以下、各データベース部と記載する）を外部に配置することにより、本発明の実施の形態における自動緊急連絡装置は、外部の各データベース部から情報を受信するデータベース情報受信部を新たに備える必要がある。
【００５２】
以下に、実施の形態２として、各データベース部を外部に配置した場合を想定し、その一例を示す。
【００５３】
図８は、本発明の実施の形態における無線ネットワークを利用するシステム構成の一例を示す。
【００５４】
このシステムは、自動緊急連絡装置８００と、状態測定装置８３０と、自動緊急連絡装置８００が無線接続する無線基地局８４０と、ネットワーク８５０を介して自動緊急連絡装置８００と通信することが可能な複数の連絡受信装置８２０、８２１、８２２と、通知条件を保存している通知条件参照データベース８６０と、通知状態発生時の連絡先が保存されている連絡先データベース８７０から構成されている。実施の形態１との違いは、通知条件参照データベース８６０と、連絡先データベース８７０とがネットワーク８５０に接続しており、自動緊急連絡装置８００は、ネットワーク８５０を介して、通知条件参照データベース８６０と、連絡先データベース８７０とがネットワーク８５０が保持している情報を取得することである。
【００５５】
図９は本発明の実施の形態２における自動緊急連絡装置の構成の一例であり、通知条件データベースや、連絡先データベースを外部にあるサーバに配置する場合を示すものである。
【００５６】
図９に示すように、自動緊急連絡装置８００は、状態測定装置８３０で測定された測定結果である、測定対象の状態に関する情報（以下、測定対象状態情報と称する）を受信する情報受信部８０１と、測定対象状態情報を記憶する状態記憶部８０２と、測定対象状態情報から測定対象が通知対象であるかを判定する状態判定部８０５と、測定対象が通知対象である場合に測定対象状態情報の連絡先を決定する連絡先判定部８０６と、測定対象状態情報を連絡受信装置８２０に送信する情報送信部８０７で構成される。さらに、通知条件を保存している通知条件参照データベース８６０と、通知状態発生時の連絡先が保存されている連絡先データベース８７０から情報を受信するデータベース情報受信部８０９を備えている。
【００５７】
情報受信部８０１は、状態測定装置８３０から測定対象状態情報を受信し、状態記憶部８０２に格納し、状態判定部８０５に測定対象状態情報を受信したことを通知する。なお、測定対象状態情報を受信した際に毎回通知するのでなく、前もって設定された回数受信した時や、タイマーにより一定時間経過する毎に通知を行ってもよい。測定対象状態情報を受信したことの通知を得た状態判定部８０５は状態記憶部８０２の測定対象状態情報を受け取り、データベース情報受信部８０９を用いて、外部にある通知条件参照データベース８６０のデータを受信し、比較する。比較を終えた後、通知状態が発生した場合、状態判定部８０５は通知状態発生の通知と、通知原因を連絡先判定部８０６に送信する。通知状態発生の通知を得た連絡先判定部８０６は状態記憶部８０２の測定対象状態情報を受け取り、データベース情報受信部８０９を用いて、外部にある連絡先データベース８７０のデータを受信し、連絡先を判定する。連絡先判定部８０６が連絡先を判定した後、情報送信部８０７を用いて判定した連絡先に通知を行う。
【００５８】
本発明の実施の形態２における自動緊急連絡装置８００の動作について、フローチャートに従って、以下に説明を行う。
【００５９】
図１０は通知条件参照データベース８６０と連絡先データベース８７０の各データベース部を外部に配置した場合の実施の形態２の一連の動作を示すフローチャートである。
【００６０】
ステップＳ１００１からステップＳ１００２までの動作は実施の形態１におけるステップＳ４０１からステップＳ４０２の動作と同一である動作を行う。
【００６１】
次に、データベース情報受信部８０９を用いて通知条件を受信する（ステップＳ１００３）。なお、通知条件は一項目ずつ受信してもよい。
【００６２】
次に、状態判定部８０５は、ステップＳ１００３で受信した通知条件と、状態記憶部８０２に保存されている測定対象状態情報との比較を行い、測定対象が通知対象であるかを判定する（ステップＳ１００４）。
【００６３】
もしＳ１００３で一項目ずつ受信した場合は通知条件参照データベース８６０内全ての項目を比較するまで、ステップＳ１００３とステップＳ１００４を繰り返す。
【００６４】
次に、ステップＳ１００５とステップＳ１００６は実施の形態１のステップＳ４０４、ステップＳ４０５と同一の動作を行う。
【００６５】
次に、データベース情報受信部８０９を用いて連絡先情報を受信する（ステップＳ１００７）。なお、連絡先情報が、大きすぎる場合は受信する連絡先を数個単位で行っても良い。
【００６６】
次に、ステップＳ１００８において、実施の形態１のステップＳ４０６と同一の動作を行う。ただし、ステップＳ１００７で、受信連絡先を数個単位に分割で行った場合はステップＳ４０６の方法を変えなければいけない。ステップＳ１００７で受信連絡先を分割する場合の一例として、各分割したものの中から最適な連絡先を決定し、その中から、また最適な連絡先を選択するという方法が考えられる。図１１はその方法を示したものである。
【００６７】
図１１の連絡先データベース９００では、４つの連絡先が存在する。データベース情報受信部８０９が連絡先を受信する際に、自動緊急連絡装置８００が情報を１回で受信しきれない場合、連絡先を９１１と９１２のように分割して受信することを可能とする。図１１の場合は、９１１にある土田病院と黒田病院の中から最適な連絡先を選択し、９２０のように土田病院と黒田病院の中から最適だった土田病院のデータを持っておく。９１２も同様に最適な連絡先を選択し、９２０の領域に入れる。その後、９２０の連絡先から、最適な連絡先を選択し、それが最終的な連絡先となる。
【００６８】
次に、ステップＳ１００９において、実施の形態１のステップＳ４０７と同一の動作を行う。ここではステップＳ１００８で決定した連絡先に送信を行う。
【００６９】
以上により、通知条件参照データベース部と連絡先データベース部が外部に存在していたとしても、実施の形態１と同じ動作を行うことが可能となる。
【００７０】
なお、自動緊急連絡装置８００は通知条件参照データベース８６０か連絡先データベース８７０のどちらか一つのみを外部に置いてもよい。
【００７１】
なお、自動緊急連絡装置８００は状態記憶部８０２の測定対象状態情報を常に保存する履歴記録部を備えても良い。
【００７２】
（実施の形態３）
本発明の自動緊急連絡装置１００は、外部から測定対象管理者の情報を緊急連絡先として連絡先データベース１０４に動的に追加できることを可能とする。さらに、連絡先である測定対象管理者に通知する通知条件を動的に追加できることを可能とする。
【００７３】
以下、実施の形態３として、外部から管理者情報を動的に変更する際の構成の一例を記す。
【００７４】
図１２は、本発明の実施の形態３における自動緊急連絡装置の構成の一例であり、外部の測定対象管理者が緊急連絡先として存在する場合を示すものである。ここで実施の形態１の構成に測定対象管理者の情報を受信する管理者情報受信部１２０９が追加されている。
【００７５】
管理者情報受信部１２０９は、ネットワークを介して受信した測定対象管理者の情報を受信し、受信した情報に基づき、通知条件参照データベース１２０３と連絡先データベース１２０４の内容の追加・変更を行なう。
【００７６】
実施の形態３と実施の形態１の主な違いは３点ある。一つ目は外部測定対象管理者が通知条件を通知条件参照データベース１２０３に追加出来ること。二つ目は測定対象管理者が通知条件参照データベース１２０３に追加した通知条件が通知対象となった場合の連絡先を連絡先データベース１２０４に追加出来ること。三つ目は、測定対象管理者が通知条件参照データベース１２０３に追加した通知条件を外部から変更できることである。
【００７７】
なお、実施の形態３におけるシステム構成図は実施の形態１で参照した図１と同じである。ただし、ここでは、連絡受信装置１２０、１２１、１２２は測定対象の管理者が所持するものとし、以下、測定対象管理者と称する。実施の形態３では連絡受信装置１２０、１２１、１２２はデータの受信だけでなく、送信も可能であることを前提とする。
【００７８】
図５は、状態記憶部１２０２の構成の一例を示す図である。ここでは測定対象状態情報には測定対象の健康に関する情報が含まれているとする。状態記憶部５００には測定対象の健康に関する情報５０１のみでなく、健康以外の情報５０２も記憶される。
【００７９】
図１４は、通知条件参照データベース１２０３の一例の一部を示す図である。通知条件参照データベース１４００で示す通り、測定対象管理者が追加される毎に測定対象管理者が設定した通知条件と、測定対照管理者を識別する管理者リンク＃が設定される。管理者リンク＃は測定対象管理者毎に異なる。
【００８０】
なお、測定対象管理者の通知条件は測定対象管理者によっていつでも変更可能とする。
【００８１】
図１５は、連絡先データベース１２０４の一例の一部を示す図である。連絡先データベース１５００で示す通り、測定対象管理者が追加される毎に測定対象管理者の連絡先と、測定対照管理者を識別する管理者リンク＃が設定される。管理者リンク＃は測定対象管理者毎に異なる。
【００８２】
図１４で示す管理者リンク＃の測定対象管理者と、図１５で示す管理者リンク＃の数字は対応している。
【００８３】
以上のような構成を有する本発明の実施の形態３における自動緊急連絡装置の動作について、図１３のフローチャートに従って、以下に説明を行う。
【００８４】
自動緊急連絡装置１２００は、管理者情報受信部１２０９を用いて測定対象管理者の通知条件情報と連絡先情報を受信する（ステップＳ４０１）。ステップＳ４０１で受信した情報は通知条件参照データベース１２０３と、連絡先データベース１２０４に追加される。
【００８５】
次に、情報受信部１２０１が測定対象の測定対象状態情報を受信する（ステップＳ１３０２）。ステップＳ１３０２では、自動緊急連絡装置１２００は測定対象状態情報の待ち受け状態になっており、待ち受け状態は一度測定対象状態情報を受信すると終了するのではなく、その後も常に測定対象状態情報待ち受け状態になる。
【００８６】
次に、状態記憶部１２０１は、ステップＳ１３０２で情報受信部１２０１が受信した測定対象状態情報を記憶する（ステップＳ１３０３）。
【００８７】
次に、状態判定部１２０５は、通知条件参照データベース１２０３と、測定対象状態情報の比較を行い、測定対象が通知対象であるかどうかを判定する（ステップＳ１３０４）。
【００８８】
次に、状態判定部１２０５はステップＳ１３０４で行った比較の結果をもとに、測定対象状態情報が通知対象外か通知対象かを判定する（ステップＳ１３０５）。
【００８９】
測定対象状態情報に含まれる値が通知条件参照データベース１４００で、設定されている範囲外であれば、通知対象と判定する。例えば、測定対象状態情報に含まれている心拍数が６０ならば通知対象外、９０ならば通知対象である。通知対象外であると判定された場合（ステップＳ１３０５がＮＯ）、測定対象状態情報の待ちうけ状態となり、測定対象状態情報を受信すると再びステップＳ１３０２から処理を行う。通知対象であると判定された場合（ステップＳ１３０５がＹＥＳ）はステップＳ１３０６に移行する。
【００９０】
次に、測定対象状態情報をもとに、心臓が悪い、肝臓が不調、など通知対象になった原因を特定する（ステップＳ１３０６）。
【００９１】
次に、状態記憶部１２０２に保存されている測定対象状態情報と、ステップＳ１３０６で特定された通知原因をもとに、連絡先データベース１２０４から緊急連絡先を判定する処理を行う（ステップＳ１３０７）。ここで、通知対象と判定されたものが、測定対象管理者であった場合、その管理者リンク＃と同一の数字を持つ、連絡先が選択される。もしあらかじめ登録済みの連絡先と測定対象管理者が設定した通知条件の両方が通知対象であった場合は複数の連絡先を選択することを可能とする。
【００９２】
最後に、情報送信部１２０７はステップＳ１３０７で判定された連絡先に電話回線やインターネットなどの公衆網を介して測定対象状態情報を送信する（ステップＳ１３０８）。ステップＳ１３０７で複数の連絡先が選択された場合は複数の連絡先に測定対象状態情報を送信する。
【００９３】
なお、測定対象管理者の通知条件の設定は管理者情報受信部１２０９を用いて、測定対象管理者によっていつでも変更可能とする。
【００９４】
なお、自動緊急連絡装置１２００は状態記憶部１２０２の測定対象状態情報を常に保存する履歴記録部を備えても良い。
【００９５】
【発明の効果】
以上のように、本発明によれば、測定対象に緊急状態を要する通知状態が発生した場合に最寄の連絡先に自動的に連絡されるので、敏速な処置が可能である。
【００９６】
さらに、通知対象の原因によって連絡先を選択することができるので、最適な処置を行うことができる。
【００９７】
さらに、連絡先を判定する際に、連絡先を絞り込む条件の優先順位を測定対象が設定できるので、測定対象の都合に合わせた連絡先が選択される。
【００９８】
さらに、連絡先として、測定対象管理者を動的に追加できることによって、外部のものが常に測定対象の管理を行うことが可能である。
【００９９】
さらに、一定の期間の対象者測定情報が保存できるため、通知の際に送信する情報が一定の時間の情報だけでなく、一定の期間の情報履歴を送信できる。
【図面の簡単な説明】
【図１】本発明の実施の形態１に係る無線ネットワークを利用するシステム構成図
【図２】本発明の実施の形態１に係る自動緊急連絡装置構成ブロック図
【図３】本発明の実施の形態１に係る自動緊急連絡装置を用いたシステム構成図
【図４】本発明の実施の形態１に係るフローチャート
【図５】本発明の実施の形態１に係る状態記憶部の詳細図
【図６】本発明の実施の形態１に係る通知条件参照データベースの詳細図
【図７】本発明の実施の形態１に係る連絡先データベースの詳細と記憶部の一部を示す図
【図８】本発明の実施の形態２に係るシステム構成図
【図９】本発明の実施の形態２に係る自動緊急連絡装置構成ブロック図
【図１０】本発明の実施の形態２に係るフローチャート
【図１１】本発明の実施の形態２に係る連絡先決定方法示す図
【図１２】本発明の実施の形態３に係る自動緊急連絡装置構成ブロック図
【図１３】本発明の実施の形態３に係るフローチャート
【図１４】本発明の実施の形態３に係る通知条件参照データベースの詳細図
【図１５】本発明の実施の形態３に係る連絡先データベースの詳細と記憶部の一部を示す図
【符号の説明】
１００　自動緊急連絡装置
１２０　連絡受信装置
１２１　連絡受信装置
１２２　連絡受信装置
１３０　状態測定装置
１４０　無線基地局
１５０　ネットワーク
１０１　情報受信部
１０２　状態記憶部
１０３　通知条件参照データベース
１０４　連絡先データベース
１０５　状態判定部
１０６　連絡先判定部
１０７　情報送信部
１０８　演算部
１０９　履歴記録部
３０１　状態測定装置
３０２　自動緊急連絡装置
３０３　緊急状態連絡先
５００　状態記憶部
６００　通知条件参照データベース
７００　連絡先データベース
７１０　状態記憶部
８００　自動緊急連絡装置
８２０　連絡受信装置
８２１　連絡受信装置
８３０　状態測定装置
８４０　無線基地局
８５０　ネットワーク
８６０　通知条件参照データベース
８７０　連絡先データベース
８０１　情報受信部
８０２　状態記憶部
８０５　状態判定部
８０６　連絡先判定部
８０７　情報送信部
８０８　演算部
８０９　データベース情報受信部
９００　連絡先データベース
９１１　連絡先データベースを分割したもの
９１２　連絡先データベースを分割したもの
９２０　連絡先データベースを分割したもの
１２００　自動緊急連絡装置
１２０１　情報受信部
１２０２　状態記憶部
１２０３　通知条件参照データベース
１２０４　連絡先データベース
１２０５　状態判定部
１２０６　連絡先判定部
１２０７　情報送信部
１２０８　演算部
１２０９　管理者情報受信部
１４００　通知条件参照データベース
１５００　連絡先データベース
【図１】
2004129777.tif 000003
【図２】
2004129777.tif 000004
【図３】
2004129777.tif 000005
【図４】
2004129777.tif 000006
【図５】
2004129777.tif 000007
【図６】
2004129777.tif 000008
【図７】
2004129777.tif 000009
【図８】
2004129777.tif 000010
【図９】
2004129777.tif 000011
【図１０】
2004129777.tif 000012
【図１１】
2004129777.tif 000013
【図１２】
2004129777.tif 000014
【図１３】
2004129777.tif 000015
【図１４】
2004129777.tif 000016
【図１５】
2004129777.tif 000017